(57)【特許請求の範囲】
【請求項１】
天板と底板を有する導電性ケースと、該導電性ケース内に収容された柱状の誘電体ブロックと、該導電性ケース内に、前記誘電体ブロックを挟んで対称に配置された一対の励振手段とを備えてなり、
前記誘電体ブロックの上面に設けられた上端電極が前記ケースの天板に電気的に接続されており、該誘電体ブロックの下面に設けられた下端電極が前記ケースの底板に電気的に接続されており、
前記励振手段が、誘電体からなる角柱状の支持片と、該支持片の対向する１組の側面上にそれぞれ形成された第１の電極パターンおよび第２の電極パターンと、該支持片の下面に形成された下面電極とからなり、
前記第１の電極パターンは、支持片の側面をなす４辺のうち支持片の上面から下面に向かう辺の近傍に、この辺に沿って形成された縦辺部分と、支持片の側面と上面との境をなす辺の近傍に、この辺に沿って形成された横辺部分と有する略Ｌ字状であり、該横辺部分の一端が前記縦片部分と連なっており、該横辺部分の他端は開放端となっており、
第２の電極パターンは、支持片の側面をなす４辺のうち支持片の上面から下面に向かう辺の近傍に、この辺に沿って形成された縦辺部分と、支持片の側面と下面との境をなす辺の近傍に、この辺に沿って形成された横辺部分とを有する略Ｌ字状であり、該横辺部分の一端が前記縦片部分と連なっており、該横辺部分の他端は前記下面電極と接続されており、
前記第１の電極パターンの縦辺部分と第２の電極パターンの縦辺部分とが、支持片を挟んで対峙しており、
前記一対の励振手段はそれぞれ、前記支持片の、前記第１の電極パターンおよび第２の電極パターンが設けられていない側面のうち、前記第１の電極パターンおよび第２の電極パターンの縦辺部分に近い方の側面が前記誘電体ブロックの近傍となるように配置され、該支持片の下面が前記ケースの底板に接着固定されて、前記下面電極が接地されており、
前記一対の励振手段のうち、一方の励振手段の第１の電極パターンの前記横辺部分の他端に入力端子が接続され、他方の励振手段の第１の電極パターンの前記横辺部分の他端に出力端子が接続されていることを特徴とする誘電体共振器。
【請求項２】
請求項１に記載の誘電体共振器を有する誘電体フィルタ。
【発明の詳細な説明】
【０００１】
【発明の属する技術分野】
本発明はセルラ基地局用の送信信号・受信信号共用器（Ｄｕｐｌｅｘｅｒ）などの電子機器に使用して好適な誘電体共振器および誘電体フィルタに関する。
【０００２】
【従来の技術】
従来の誘電体共振器は、図９に示すように、金属ケース本体１０１内の底壁上に、セラミック製で円柱状の誘電体ブロック１００を固定するとともに、該金属ケース本体１０１の開口に電磁界エネルギーを閉じこめるためのケース蓋１０１ａを配設して概略構成されている。
また金属ケース本体１０１の例えば左側壁には入力コネクタ１０２が取り付けられており、右側壁には出力コネクタ１０３が取付られている。これら入、出力コネクタ１０２，１０３の中心導体１０２ａ，１０３ａの先端部は左側壁および右側壁をそれぞれ貫通して金属ケース本体１０１内に突出している。
そして、これら中心導体１０２ａ，１０３ａの先端部には、コイル状に形成された結合ループ１０４，１０５の一端が半田付け接続されている。また結合ループ１０４，１０５の他端は金属ケース本体１０１に半田付け固定され、接地されている。
【０００３】
また、従来の他の例では、図１０に示すように、金属ケース１１１内に突出している入、出力コネクタ１１２，１１３の中心導体に、略直線状のプローブ１１４，１１５の一端を接続し、このプローブ１１４，１１５を金属ケース１１１の内周壁に沿って配設して、他端を誘電体ブロック１００近傍に配した構成のものもある。
【０００４】
このような構成の誘電体共振器にあっては、結合ループ１０４，１０５またはプローブ１１４，１１５と誘電体ブロック１００とが磁界結合しており、結合ループ１０４またはプローブ１１４に電気信号が入力されると、この結合ループ１０４またはプローブ１１４で磁界が発生する。その磁気エネルギーにより誘電体ブロック１００が励振されて、誘電体ブロック１００に電流が流れ、磁界が発生する。この磁気エネルギーによって出力側の結合ループ１０５またはプローブ１１５で磁界が発生して電流が流れ、出力側のコネクタ１０３，１１３から電気信号が出力される。
【０００５】
【発明が解決しようとする課題】
ところで、上述したような従来の誘電体共振器にあっては、結合ループ１０４，１０５またはプローブ１１４，１１５が構造的に振動に対して弱く、誘電体共振器が振動を受けると、結合ループ１０４，１０５またはプローブ１１４，１１５は誘電体共振器１００よりも大きく振動してしまうため、誘電体ブロック１００との結合度が変化するという不都合があった。
これに対して、結合ループ１０４，１０５またはプローブ１１４，１１５が振動しないように、例えばパラフィンなどの接着剤を用いて固定する方法も考えられるが、接着剤の使用によって性能劣化が生じることが問題であった。
【０００６】
よって本発明の課題は、振動の影響を受け難く、良好な性能が安定して得られる誘電体共振器を提供することにある。
【０００７】
【課題を解決するための手段】
前記課題を解決するために本発明の誘電体共振器は、天板と底板を有する導電性ケースと、該導電性ケース内に収容された柱状の誘電体ブロックと、該導電性ケース内に、前記誘電体ブロックを挟んで対称に配置された一対の励振手段とを備えてなり、前記誘電体ブロックの上面に設けられた上端電極が前記ケースの天板に電気的に接続されており、該誘電体ブロックの下面に設けられた下端電極が前記ケースの底板に電気的に接続されており、前記励振手段が、誘電体からなる角柱状の支持片と、該支持片の対向する１組の側面上にそれぞれ形成された第１の電極パターンおよび第２の電極パターンと、該支持片の下面に形成された下面電極とからなり、前記第１の電極パターンは、支持片の側面をなす４辺のうち支持片の上面から下面に向かう辺の近傍に、この辺に沿って形成された縦辺部分と、支持片の側面と上面との境をなす辺の近傍に、この辺に沿って形成された横辺部分と有する略Ｌ字状であり、該横辺部分の一端が前記縦片部分と連なっており、該横辺部分の他端は開放端となっており、第２の電極パターンは、支持片の側面をなす４辺のうち支持片の上面から下面に向かう辺の近傍に、この辺に沿って形成された縦辺部分と、支持片の側面と下面との境をなす辺の近傍に、この辺に沿って形成された横辺部分とを有する略Ｌ字状であり、該横辺部分の一端が前記縦片部分と連なっており、該横辺部分の他端は前記下面電極と接続されており、前記第１の電極パターンの縦辺部分と第２の電極パターンの縦辺部分とが、支持片を挟んで対峙しており、前記一対の励振手段はそれぞれ、前記支持片の、前記第１の電極パターンおよび第２の電極パターンが設けられていない側面のうち、前記第１の電極パターンおよび第２の電極パターンの縦辺部分に近い方の側面が前記誘電体ブロックの近傍となるように配置され、該支持片の下面が前記ケースの底板に接着固定されて、前記下面電極が接地されており、前記一対の励振手段のうち、一方の励振手段の第１の電極パターンの前記横辺部分の他端に入力端子が接続され、他方の励振手段の第１の電極パターンの前記横辺部分の他端に出力端子が接続されていることを特徴とする。
本発明の誘電体共振器によれば励振手段がケースに固定されているので、振動の影響を受け難く、安定した性能が得られる。
【０００８】
特に、励振手段をなす支持片を誘電体で構成し、その上に導電性材料からなる電極パターンを形成したことにより、誘電体の波長短縮により励振手段の物理的寸法を小さくすることが可能となる。誘電体としては、テフロン、エポキシ樹脂等のプラスチック、およびセラミックスが望ましく、波長短縮効果の点では誘電率が大きくて、セラミックス製のものが最も好ましい。このような支持片をケース内に配することにより、導電ケース内に有効に磁気エネルギーを放射し、これにより誘電体ブロックを効率良く励振することができる。
また電極パターンは、支持片を挟んだ２つの電極パターンからなり、一方の電極パターンが入力端子又は出力端子に接続され、他方の電極パターンが接地されている。２つの電極パターンを、前記支持片を挟んで対峙した部分を有する形状とすることにより、通過帯域の両側に減衰域があり、急峻な減衰特性を有する誘電体共振器が得られる。
【００１０】
また本発明の誘電体共振器を誘電体フィルタの入出力部に使用することにより、振動の影響を受け難く、安定性に優れた誘電体フィルタが得られる。
【００１１】
【発明の実施の形態】
以下、本発明を詳しく説明する。図１ないし図３は本発明の誘電体共振器の第１の実施例を示したもので、図１および図２は斜視図、図３は上面から見た平面図である。なお以下の図において、各構成要素の配置がわかるように、構成要素の輪郭だけを示していることがある。
本実施例の誘電体共振器１は、ケース２内に誘電体ブロック３と、２個の支持片４，４が収容されて概略構成されている。
ケース２は例えば銅などの導電性材料からなり、箱形に形成されている。
【００１２】
誘電体ブロック３は、ＢａＯ−ＴｉＯ２−Ｎｄ２Ｏ３系などの誘電材料からなるセラミック製のもので、円柱状に形成されている。また誘電体ブロック３の上面および下面には、それぞれ導電性ペーストを塗布して焼き付けるなどして上端電極３ａおよび下端電極３ｂが形成されている。
そして誘電体ブロック３の上端電極３ａはケース２の天板２ａの内面に、また下端電極３ｂはケース２の底板２ｂの内面に、クリーム半田や導電性ペーストを用いてそれぞれ接着固定されており、かつ電気的に接続されている。
【００１３】
支持片４は誘電体ブロック３と同一の材料の誘電体セラミックなどからなり、角柱状に形成されている。そして、対向する１組の側面上に第１の電極パターン５と第２の電極パターン６がそれぞれ形成されており、下面全面には下面電極７が形成されている。第１および第２の電極パターン５，６および下面電極７は、例えばＣｕやＡｇなどの導電性材料からなり、支持片４の面上に膜状に形成されている。第１の電極パターン５は、支持片４の側面をなす４辺のうち支持片４の上面から下面に向かう辺の近傍に、この辺に沿って形成された縦辺部分５ａと、支持片４の側面と上面との境をなす辺の近傍に、この辺に沿って形成された横辺部分５ｂとを有する略Ｌ字状に形成されている。横辺部分５ｂの一端は縦片部分５ａと連なっており、他端は開放端となっている。第２の電極パターン６は、支持片４の側面をなす４辺のうち上面から下面に向かう辺の近傍に、この辺に沿って形成された縦辺部分６ａと、下面との境をなす辺の近傍に、この辺に沿って形成された横辺部分６ｂと、この横辺部分６ｂと下面電極７とを接続する接続部分６ｃとを有する略Ｌ字状に形成されている。また第１の電極パターン５と第２の電極パターン６とは、それぞれの縦辺部分５ａ，６ａが、少なくとも一部分が支持片４を挟んで対峙するように構成されている。
【００１４】
このような第１および第２の電極パターン５，６および下面電極７は、例えば、これらの電極を形成しようとする支持片４の面上に電極材料をメッキした後、必要に応じてエッチングを行うなどして形成することができる。あるいはスパッタ法にて所望の形状の電極パターン５，６を形成してもよい。
【００１５】
支持片４はその下面がケース２の底板２ｂの内面にクリーム半田や導電性ペーストを用いて接着固定されており、下面電極７は接地されている。また第１および第２の電極パターン５，６の縦辺部分５ａ，６ａが、誘電体ブロック３の近傍に位置するとともに、誘電体ブロック３の軸芯方向と平行となるように配置されている。
さらに、２つの支持片４，４上に形成された第１の電極パターン５，５の開放端近傍に入力端子８ａまたは出力端子８ｂがそれぞれ接続されている。
【００１６】
このような構成の誘電体共振器１にあっては、支持片４とその面上に形成された電極パターン５，６および下面電極７とで励振手段が構成されている。すなわち、第１の電極パターン５の縦辺部分５ａと第２の電極パターン６の縦辺部分６ａとは誘電体材料からなる支持片４を挟んで対峙しており、入力端子８ａから電気信号が入力されると第１および第２の電極パターン５，６の縦辺部分５ａ，６ａに電流が流れ、誘電体ブロック３の軸芯方向に直交する面において磁界が発生する。その磁気エネルギーにより誘電体ブロック３が励振され、誘電体ブロック３および導電性ケース２に電流が流れるとともに、磁界が発生する。そしてこの磁気エネルギーによって出力側の励振手段で磁界が発生して第１および第２の電極パターン５，６の縦辺部分５ａ，６ａに電流が流れ、出力端子８ｂから電気信号が出力される。ここで、支持片４上に形成される第１および第２の電極パターン５，６の横辺部分５ｂ，６ｂは分布定数線路となっており、この部分の長さによって共振周波数が変わる。
【００１７】
図４は本実施例の誘電体共振器の減衰特性を示したものである。本実施例の誘電体共振器１にあっては、図４に示されるように、通過帯域の両側に減衰域があり、急峻な減衰特性が得られる。また励振手段がブロック状の支持片４とその面上に形成された電極パターン５，６および下面電極７とからなっており、支持片４は導電性ケース２内に接着固定されているので、振動の影響を受け難く、良好な性能が安定して得られる。
さらに励振手段は、高誘電率材料からなる支持片４上に電極を形成したものであるので、誘電体の波長短縮により励振手段の物理的寸法を小さくすることが可能である。また励振手段は共振周波数付近で使用するので大きな磁界を発生することができる。
【００１８】
なお、本実施例の誘電体共振器においては、２つの支持片４，４が誘電体ブロック３を挟んで対称となるように配置されているが、このような配置に限らず、支持片４，４は、その第１および第２の電極パターン５，６に電流が流れた時に誘電体ブロック３の軸芯方向と直交する面において磁界が発生するように配置すればよい。すなわち、支持片４，４はその上面および下面の長さ方向が、誘電体ブロック３の上面および下面の半径方向と同じになるように配置することができる。ただし、２つの支持片４，４近傍でそれぞれ発生する磁界が相殺することがないように、これらを離間させる必要がある。
【００１９】
また本実施例の誘電体共振器１を誘電体フィルタの入出力部に用いることもできる。すなわち、導電性ケース内に収容された誘電体ブロック３を複数個、互いに電磁気的に結合するように配置し、両端に支持片４とその面上に形成された電極パターン５，６および下面電極７とからなる励振手段をそれぞれ設ければよい。本実施例の誘電体共振器１は図４に示されるように急峻な減衰特性が得られるものであるから、これを用いて誘電体フィルタを構成すれば、振動に強い上、良好な減衰特性を有する高性能のバンドパスフィルタが得られる。
【００２０】
図５ないし図７は他の誘電体共振器の例を示したもので、図５および図６は斜視図、図７は上面から見た平面図である。
本例の誘電体共振器２１は、ケース２０内に誘電体ブロック３０と、２個の支持片２４，２４が収容されて概略構成されている。
【００２１】
支持片２４は上記第１の実施例と同様の誘電体セラミックからなり、角柱状に形成されている。支持片２４の１つの側面上には２つの電極帯２５，２６が間隔をあけて並列して形成され、上面上には略コ字状の連結帯２７が形成されており、連結帯２７の両端は２つの電極帯２５，２６の同一側の端部に連続している。電極帯２５，２６および連結帯２７は、例えばＣｕやＡｇなどの導電性材料からなり、支持片２４の面上に膜状に形成されている。また支持片２４の下面全面には同様の導電性材料からなる下面電極２８が形成されている。これら電極帯２５，２６、連結帯２７、および下面電極２８は、上記第１の実施例１における電極パターン５，６および下面電極７と同様にメッキおよびエッチング、またはスパッタ法などの手法によって形成することができる。
【００２２】
支持片２４は側面上の電極帯２５，２６が誘電体ブロック３０の近傍に位置するとともに、これら電極帯２５，２６が誘電体ブロック３０の軸芯方向と平行となるように配置されている。また支持片２４の下面がケース２０の底板２０ｂの内面にクリーム半田や導電性ペーストを用いて接着固定されており、下面電極２８は接地されている。
また２つの支持片２４の連結帯２７，２７には入力端子２９ａまたは出力端子２９ｂがそれぞれ接続されている。入力端子２９ａまたは出力端子２９と連結帯２７との接続点は、連結帯４７の一端から他端に至る経路の中央が好ましい。
【００２３】
このような構成の誘電体共振器２１にあっては、支持片２４とその面上に形成された電極帯２５，２６、連結帯２７、および下面電極２８とで励振手段が構成されている。すなわち、入力端子２９ａから電気信号が入力されると連結帯２７を経て並列した２つの電極２５，２６それぞれに電流が流れ、誘電体ブロック３０の軸芯方向に直交する面において磁界が発生する。その磁気エネルギーにより誘電体ブロック３０が励振され、誘電体ブロック３０および導電性ケース２０に電流が流れるとともに、磁界が発生する。そしてこの磁気エネルギーによって出力側の励振手段で磁界が発生して２つの電極２５，２６それぞれに電流が流れ、出力端子２９ｂから電気信号が出力される。
ここで、２つの電極帯２５，２６および連結帯２７を連続した１つの分布定数線路と考えることができ、この線路は両端が接地され、給電点が線路のほぼ中間にある。したがって給電点とグランド間に並列に接続された２本の分布定数線路と考えられる。本例においてはこの給電点とグランド間に並列に接続された２本の分布定数線路の長さ、すなわち、電極帯２５，２６の長さと連結帯２７の長さによって共振周波数が変わる。そして一端が接地された分布定数線路を他端からみると並列共振回路となっている。
【００２４】
本例の誘電体共振器２１にあっては、励振手段がブロック状の支持片２４とその面上に形成された電極帯２５，２６、連結帯２７、および下面電極２８とからなっており、支持片２４は導電性ケース２内に接着固定されているので、振動の影響を受け難く、良好な性能が安定して得られる。
また励振手段は、高誘電率材料からなる支持片２４上に電極を形成したものであるので、誘電体の波長短縮により励振手段の物理的寸法を小さくすることが可能である。また励振手段は共振周波数付近で使用するので大きな磁界を発生することが可能である。さらに、誘電体ブロック３０の近傍で磁界を発生し得る電極が２つ（電極帯２５，２６）設けられているので、発生する磁界が強力なものとなる。
【００２５】
また本例の誘電体共振器２１を誘電体フィルタの入出力部に用いることもできる。図８は本例の誘電体共振器２１を入出力部に用いた誘電体フィルタの構成例を示したものである。この例の誘電体フィルタは、導電性ケース５２内に３個の誘電体ブロック５３が、互いに電磁気的に結合するように配置され、両端に支持片２４とその面上に形成された電極帯２５，２６、連結帯２７、および下面電極２８とからなる励振手段５４，５４が設けられている。また励振手段５４，５４の連結帯２７，２７には入力端子５９ａまたは出力端子５９ｂがそれぞれ接続されている。さらに、導電性ケース５２の上面を塞ぐように板バネ５５が載置されており、この載置された状態では、板バネ５５の周縁より誘電体ブロック５３の上面が、板バネ５５の弾性に対して突出し、誘電体ブロック５３の上面に形成された上端電極と板バネ５５の下面とが確実に当接するように構成されている。そして板バネ５５の上には蓋体５６が載置され、蓋体５６と板バネ５５が導電性ケース５２にネジ止め固定されている。蓋体５６には、長手方向の中心線上に３つの比較的大きな径のネジ孔５７が設けられ、ここに円板状の押さえネジ５８をねじ込むことによって、押さえネジ５８の下面が板バネ５５を下方に押し下げて、板バネ５の下面が誘電体ブロック５３の上面対して押し付けられるようになっている。
このような構成の誘電体フィルタは、入出力部に支持片２４とその面上に形成された電極帯２５，２６、連結帯２７、および下面電極２８とからなる励振手段５４，５４が設けられているので、振動に強いバンドパスフィルタとなる。
【００２６】
なお、本例においては、連結帯２７における入力端と下面電極２８との間に電極帯２５，２６によって２つの並列した線路が形成されているが、入力端と下面電極２８とを１本の線路で結んだ構成としても動作可能である。
また下面電極２８を設けない構成として、電極帯２５の端部を開放端とすることもできる。
【００２７】
また図示しない他の例として、角柱状の支持片の上面上に直線状の連結帯を形成し、この連結帯の両端に連続して、２つの電極帯を対向する側面上にそれぞれ形成してもよい。２つの電極帯は支持片の上面と下面を結ぶ方向に沿って好ましく形成される。また支持片の下面全面に導電性材料からなる下面電極が好ましく形成される。
このような構成の支持片は一方の側面上の電極帯が誘電体ブロックの近傍に位置するとともに、側面の電極帯が誘電体ブロックの軸芯方向と平行となるようにように配置される。また支持片の下面はケースの底板の内面に接着固定され、下面面極は接地される。さらに、２つの支持片の上面の連結帯には入力端子または出力端子がそれぞれ接続される。入力端子または出力端子との接続位置は、連結帯の中央が好ましい。
【００２８】
このような構成の誘電体共振器にあっては、支持片とその面上に形成された電極帯、連結帯、および下面電極とで励振手段が構成されており、入力端子から電気信号が入力されると連結帯を経て誘電体ブロック近傍に配された電極帯に電流が流れ、誘電体ブロックの軸芯方向に直交する面において磁界が発生する。その磁気エネルギーにより誘電体ブロックが励振され、誘電体ブロックおよび導電性ケースに電流が流れるとともに、磁界が発生する。そしてこの磁気エネルギーによって出力側の励振手段で磁界が発生して電極帯に電流が流れ、出力端子から電気信号が出力される。そして、電極帯および連結帯の長さによって共振周波数が変わる。
【００２９】
本例の誘電体共振器にあっては、励振手段がブロック状の支持片とその面上に形成された電極帯、連結帯、および下面電極とからなっており、支持片は導電性ケース内に接着固定されているので、振動の影響を受け難く、良好な性能が安定して得られる。
また励振手段は、高誘電率材料からなる支持片上に電極を形成したものであるので、誘電体の波長短縮により励振手段の物理的寸法を小さくすることが可能である。また励振手段は共振周波数付近で使用するので大きな磁界を発生することができる。
【００３０】
また本例の誘電体共振器を誘電体フィルタの入出力部に用いることもできる。すなわち、導電性ケース内に複数個の誘電体ブロックを、互いに電磁気的に結合するように配置し、両端に支持片とその面上に形成された電極帯、連結帯および下面電極とからなる励振手段をそれぞれ設ければよい。このようにして得られる誘電体フィルタは、振動に強いバンドパスフィルタとなる。
【００３１】
なお、本例においては、下面電極を設けない構成として、電極帯の端部を開放端とすることもできる。
また、本例の誘電体共振器においては、２つの支持片が誘電体ブロックを挟んで対称となるように配置されているが、このような配置に限らず、支持片は、その側面上に形成された電極帯に電流が流れた時に誘電体ブロックの軸芯方向と直交する面において磁界が発生するように配置すればよい。すなわち、支持片はその上面および下面の長さ方向が、誘電体ブロックの上面および下面の半径方向と同じになるように配置することができる。ただし、２つの支持片近傍でそれぞれ発生する磁界が相殺することがないように、これらを離間させる必要がある。
尚、これまでの本発明の実施の形態では、誘電体ブロックが円柱状に形成されていたが、誘電体ブロックを角柱状に形成してもよい。
【００３２】
【発明の効果】
以上説明したように本発明の誘電体共振器は、導電性ケース内に柱状の誘電体ブロックを前記ケースに電気的に接続した状態で収容し、前記誘電体ブロック内を電流が流れる誘電体ブロックの軸芯方向と直交する面に磁場を発生させる励振手段を設け、該励振手段を前記ケースに固定された支持片と、入力端子又は出力端子に接続させて該支持片上に形成した少なくとも１つの電極パターンとで構成したものである。この構成によれば励振手段がケースに固定されているので、振動の影響を受け難く、性能の安定性に優れた誘電体共振器が得られる。
【図面の簡単な説明】
【図１】本発明の誘電体共振器の第１の実施例を示した斜視図である。
【図２】本発明の第１の実施例の誘電体共振器の斜視図である。
【図３】本発明の第１の実施例の誘電体共振器の平面図である。
【図４】本発明の第１の実施例の誘電体共振器の減衰特性を示すグラフである。
【図５】誘電体共振器の例を示した斜視図である。
【図６】図５の誘電体共振器の斜視図である。
【図７】図５の誘電体共振器の平面図である。
【図８】誘電体フィルタの例を示した分解斜視図である。
【図９】従来の誘電体共振器の一例を示した断面図である。
【図１０】従来の誘電体共振器の他の例を示した平面図である。
【符号の説明】
１，２１…誘電体共振器、２，２０…導電性ケース、
３，３０…誘電体ブロック、４，２４…支持片、５…第１の電極パターン、
６…第２の電極パターン、８ａ，２９ａ…入力端子、
８ｂ，２９ｂ…出力端子、２５，２６…電極帯、２７…連結帯
【図１】
0003634619.tif 000002
【図２】
0003634619.tif 000003
【図３】
0003634619.tif 000004
【図４】
0003634619.tif 000005
【図５】
0003634619.tif 000006
【図６】
0003634619.tif 000007
【図７】
0003634619.tif 000008
【図８】
0003634619.tif 000009
【図９】
0003634619.tif 000010
【図１０】
0003634619.tif 000011